(57)【要約】【課題】排泄便で汚れることを抑制するのに適した使い捨てオムツを提供する。【解決手段】本発明の使い捨てのオムツＸ１は、本体部１０と、山型パッド３０（臀裂対向部）と、チューブ４０（送便管路）と、収容部５０とを少なくとも備える。本体部１０は、外装内側シート１２および外装外側シート１３を含む多層構成を有する。山型パッド３０は、着用者の臀裂部に当接可能であり、且つ排泄便を受けるための開口部３０ａを有する。チューブ４０は、山型パッド３０の開口部３０ａから収容部５０まで排泄便を導くためのものであり、収容部５０に臨む開口端部４２を有する。この開口端部４２にはスリット４２ａが設けられている。収容部５０は、着用者身体から隔てて排泄便を収容するためのものであり、外装内側シート１２および外装外側シート１３の間に位置する。【選択図】図５
2020089704.tif 000002
【特許請求の範囲】
【請求項１】
外装内側シートおよび外装外側シートを含む多層構成を有する本体部と、
着用者の臀裂部に当接可能であり、且つ、排泄便を受けるための先端開口部およびこれとは反対の側に位置する基端開口部を有する、臀裂対向部と、
着用者身体から隔てて排泄便を収容するための、前記外装内側シートおよび前記外装外側シートの間に位置する収容部と、
前記臀裂対向部における前記基端開口部側に対向して配され、且つ当該基端開口部を前記収容部に連通させる開状態に変形可能である、開閉弁膜と、を備える使い捨てオムツ。
【請求項２】
前記臀裂対向部は、肛門周りに貼着するための粘着部を前記先端開口部の周りに有する、請求項１に記載の使い捨てオムツ。
【請求項３】
前記外装内側シートは、組付け用開口部を有し、
前記臀裂対向部は、前記組付け用開口部において伸縮材を介して前記外装内側シートに組み付けられている、請求項１または２に記載の使い捨てオムツ。
【請求項４】
前記伸縮材は、ひも状ゴム材または伸縮シート材である、請求項３に記載の使い捨てオムツ。
【請求項５】
前記伸縮シート材および前記臀裂対向部は、前記外装内側シートの前記組付け用開口部を閉塞している、請求項４に記載の使い捨てオムツ。
【請求項６】
前記臀裂対向部は、前記先端開口部の形成された先端頂辺部と当該先端頂辺部を介して繋がる傾斜面部とを含む、請求項１から５のいずれか一つに記載の使い捨てオムツ。
【請求項７】
前記臀裂対向部における前記傾斜面部は開閉脚動作可能である、請求項６に記載の使い捨てオムツ。
【請求項８】
前記収容部は、前記本体部における前記外装内側シートおよび前記外装外側シートの間に配される収容袋体を備える、請求項１から７のいずれか一つに記載の使い捨てオムツ。
【請求項９】
前記本体部は、前記外装内側シートおよび前記外装外側シートよりも着用者側に位置するトップシートを更に含む多層構成を有し、
前記トップシートと前記外装内側シートとの間に位置する吸収ユニットを更に備える、請求項１から８のいずれか一つに記載の使い捨てオムツ。
【発明の詳細な説明】
【技術分野】
【０００１】
本発明は、使い捨てタイプのオムツに関する。
【背景技術】
【０００２】
乳幼児用オムツや大人用オムツとして、使い捨てのオムツが多用されている。使い捨てオムツは、パンツタイプやいわゆるテープタイプなどのタイプに応じた形態を有するオムツ本体部、および、排泄物を吸収する役割を担う吸収ユニットを、備える。吸収ユニットは、水分吸収容量の大きな例えば高分子吸水材を内部に有し、使い捨てオムツの着用者からの排泄尿の多くは、この吸収ユニットによって吸収されることとなる。このような使い捨てオムツに関する技術については、例えば下記の特許文献１〜３に記載されている。
【先行技術文献】
【特許文献】
【０００３】
【特許文献１】特開２０１７−７４１１３号公報
【特許文献２】特開２０１７−８６５６５号公報
【特許文献３】特開２０１７−９３９３１号公報
【発明の概要】
【発明が解決しようとする課題】
【０００４】
従来、使い捨てオムツの着用者から排泄される便は、オムツの着用者身体側内部で受けられて、その全部または大部分が着用者身体とオムツとの間に留め置かれる。この留め置かれた排泄便によって着用者身体は汚れてしまう。また、排泄後におけるオムツ替えの作業時には、その作業者の手など身体が、オムツ内に留め置かれた排泄便によって汚れてしまう場合がある。
【０００５】
本発明は、以上のような事情のもとで考え出されたものであって、その目的は、着用者やオムツ替え作業者が排泄便で汚れることを抑制するのに適した使い捨てオムツを提供することにある。
【課題を解決するための手段】
【０００６】
本発明の第１の側面により提供される使い捨てオムツは、本体部と、臀裂対向部と、収容部と、送便管路とを備える。本体部は、外装内側シートおよび外装外側シートを含む多層構成を有する。外装外側シートよりも外装内側シートはオムツの内方側に位置する。臀裂対向部は、着用者の臀裂部に当接可能であり、且つ、排泄便を受けるための先端開口部を有する。収容部は、着用者身体から隔てて排泄便を収容するためのものであり、外装内側シートおよび外装外側シートの間に位置する。送便管路は、臀裂対向部の先端開口部から収容部まで排泄便を導くためのものであり、収容部に臨む開口端部を有する。この開口端部は、その開口端側から延びる一つ又は複数のスリットないし切れ込みを有する。また、送便管路は、例えば、樹脂フィルムなど柔軟素材よりなるフレキシブル管路である。このような構成の使い捨てオムツは、着用者の肛門に臀裂対向部の先端開口部が対向する位置および姿勢で臀裂対向部が着用者の臀裂部に当接するように、使用者に着用される。また、本発明の使い捨てオムツは、パンツタイプとして構成されたものであってもよいし、いわゆるテープタイプとして構成されたものであってもよいし、これら両タイプ兼用のタイプとして構成されたものであってもよい。
【０００７】
このような使い捨てオムツの着用者から排泄される便は、着用者の臀裂部に当接する臀裂対向部の先端開口部に受容され、送便管路を通って排泄物の収容部に至りうる。本体部の外装内側シートと外装外側シートとの間に排泄物の収容部を本オムツが備えるという上記構成は、着用者からの排泄便を着用者身体から隔てた状態で留め置くのに適し、従って、着用者ないしその身体が排泄便で汚れることを抑制するのに適する。そして、本オムツについて、収容部内に排泄便が収容された状態でオムツ替え作業が行われる場合、作業者の手など身体は、汚れにくい。
【０００８】
また、排泄便受容口である先端開口部を有して着用者臀裂部に当接可能な臀裂対向部を本オムツが備えるという上記構成は、着用者からの排泄便を収容部に導くうえで好適であり、ひいては、着用者やオムツ替え作業者が排泄便で汚れることを抑制するのに資する。
【０００９】
加えて、送便管路において収容部に臨む開口端部が、その開口端側から延びるスリットを有するという上記構成は、収容部から送便管路への排泄便の逆流を抑制するのに適する。送便管路の開口端部は、柔軟素材よりなるうえに切れ込みであるスリットを有するため、形状が保持されにくい。このような開口端部は、送便管路内を収容部に向けて移動する排泄便の通過時には開口してその通過を許容しやすいものの、外部からの接触作用を受ける場合には開口しにくい。そのため、送便管路の当該開口端部に対して開口端部外の収容部から排泄便は入りにくい。収容部に一旦収まった排泄便は、形状保持性の低い開口端部を介しては、送便管路内に逆流しにくいのである。収容部から送便管路への排泄便の逆流を抑制するのに適したこのような構成は、収容部に収容された排泄便の当該収容状態を維持するうえで好適であり、ひいては、着用者やオムツ替え作業者が排泄便で汚れることを抑制するのに資する。
【００１０】
以上のように、本発明の第１の側面に係る使い捨てオムツは、着用者やオムツ替え作業者が排泄便で汚れることを抑制するのに適するのである。
【００１１】
本発明の第１の側面に係る使い捨てオムツにおいて、好ましくは、臀裂対向部はその先端開口部とは反対の側に当該開口部よりも大きな後端開口部ないし基端開口部を有し、送便管路は当該基端開口部を通って収容部側へと延びる。このような構成によると、送便管路が上述のフレキシブル管路である場合に、当該フレキシブル管路における臀裂対向部先端開口部側の端部（始端）よりも収容部側の端部（終端）が下方の位置をとりやすい。送便管路の終端が始端よりも下方の位置をとりやすいことは、送便管路内での排泄便の逆流を抑制するうえで好ましい。
【００１２】
本発明の第２の側面により提供される使い捨てオムツは、本体部と、臀裂対向部と、収容部と、少なくとも一つの開閉弁膜とを備える。本体部は、外装内側シートおよび外装外側シートを含む多層構成を有する。外装外側シートよりも外装内側シートはオムツの内方側に位置する。臀裂対向部は、着用者の臀裂部に当接可能であり、且つ、排泄便を受けるための先端開口部と、これとは反対の側に位置する基端開口部とを有する。収容部は、着用者身体から隔てて排泄便を収容するためのものであり、外装内側シートおよび外装外側シートの間に位置する。送便管路は、臀裂対向部の先端開口部から収容部まで排泄便を導くためのものであり、例えば、樹脂フィルムなど柔軟素材よりなるフレキシブル管路である。開閉弁膜は、臀裂対向部における基端開口部側に対向して配される要素であって、当該基端開口部を収容部に連通させる開状態に変形可能である。各開閉弁膜は、例えば舌片形状を有する。複数の開閉弁膜が臀裂対向部の基端開口部に対向して配される場合、各開閉弁膜は、その自由端側に他の開閉弁膜と重なりうる領域を有するように配されるのが好ましい。このような構成の使い捨てオムツは、着用者の肛門に臀裂対向部の先端開口部が対向する位置および姿勢で臀裂対向部が着用者の臀裂部に当接するように、使用者に着用される。また、本発明の使い捨てオムツは、パンツタイプとして構成されたものであってもよいし、いわゆるテープタイプとして構成されたものであってもよいし、これら両タイプ兼用のタイプとして構成されたものであってもよい。
【００１３】
このような使い捨てオムツの着用者から排泄される便は、着用者の臀裂部に当接する臀裂対向部の先端開口部に受容され、送便管路を通って排泄物の収容部に至りうる。本体部の外装内側シートと外装外側シートとの間に排泄物の収容部を本オムツが備えるという上記構成は、着用者からの排泄便を着用者身体から隔てた状態で留め置くのに適し、従って、着用者ないしその身体が排泄便で汚れることを抑制するのに適する。そして、本オムツについて、収容部内に排泄便が収容された状態でオムツ替え作業が行われる場合、作業者の手など身体は、汚れにくい。
【００１４】
また、排泄便受容口である先端開口部を有して着用者臀裂部に当接可能な臀裂対向部を本オムツが備えるという上記構成は、着用者からの排泄便を収容部に導くうえで好適であり、ひいては、着用者やオムツ替え作業者が排泄便で汚れることを抑制するのに資する。
【００１５】
加えて、臀裂対向部における基端開口部側に対向して配され、且つ当該基端開口部を収容部に連通させる開状態に変形可能である開閉弁膜を、本オムツが備えるという上記構成は、収容部から臀裂対向部の先端開口部側（即ち、オムツの着用者身体側内部）への排泄便の逆流を抑制するのに適する。臀裂対向部の基端開口部と収容部との間を区切るような態様で臀裂対向部における基端開口部側に対向して配されている開閉弁膜は、臀裂対向部内にその先端開口部を介して受容された排泄便が基端開口部および開閉弁膜を通過する時には変形してその通過を許容しやすい。その一方、当該開閉弁膜は、収容部側からの接触作用によっては、基端開口部と収容部とを連通させる開状態に至るほどの変形を生じにくい。臀裂対向部におけるその基端開口部まわりの壁部が、開閉弁膜に当接して、収容部側からの接触作用による開閉弁膜のそのような変形を阻む作用を発揮しうるからである。そのため、臀裂対向部の基端開口部に対して収容部側から排泄便は入りにくい。収容部に一旦収まった排泄便は、臀裂対向部における基端開口部ひいては先端開口部側に逆流しにくいのである。排泄便の逆流を抑制するのに適したこのような構成は、収容部に収容された排泄便の当該収容状態を維持するうえで好適であり、ひいては、着用者やオムツ替え作業者が排泄便で汚れることを抑制するのに資する。
【００１６】
以上のように、本発明の第２の側面に係る使い捨てオムツは、着用者やオムツ替え作業者が排泄便で汚れることを抑制するのに適するのである。
【００１７】
本発明の第１および第２の側面において、臀裂対向部は、好ましくは、肛門周りに貼着するための粘着部を先端開口部の周りに有する。このような構成は、着用者からの排泄便を、臀裂対向部の先端開口部によって受容するうえで好適であり、従って、収容部に導くうえで好適である。
【００１８】
好ましくは、外装内側シートは組付け用開口部を有し、臀裂対向部は、組付け用開口部において、伸縮性を有する伸縮材を介して外装内側シートに組み付けられている。伸縮材は、例えば、ひも状ゴム材または伸縮シート材である。このような構成によると、本発明の使い捨てオムツの着用時において、着用者臀裂部に対する臀裂対向部の良好な当接状態ないし密着状態を伸縮材に因る付勢力を利用して実現しやすく、従って、着用者からの排泄便を臀裂対向部の先端開口部によって受容しやすい。
【００１９】
伸縮材として伸縮シート材が採用される場合、当該伸縮シート材および臀裂対向部は、好ましくは、外装内側シートの組付け用開口部を閉塞している。このような構成は、着用者からの排泄便を着用者身体から隔てた状態で収容部内に留め置くのに適し、従って、着用者やオムツ替え作業者が排泄便で汚れることを抑制するのに資する。
【００２０】
臀裂対向部は、好ましくは、先端開口部の形成された先端頂辺部と当該先端頂辺部を介して繋がる一対の傾斜面部とを含む。このような構成の臀裂対向部は、その先端開口部を着用者の肛門に対向させつつ、着用者身体において窪んでいる臀裂部に当接しやすい。したがって、このような構成の臀裂対向部は、その先端開口部にて着用者からの排泄便を受容しやすい。
【００２１】
臀裂対向部における一対の傾斜面部は、好ましくは、開閉脚動作可能に構成されている。すなわち、臀裂対向部において先端頂辺部を介して繋がる一対の傾斜面部の開き角度が大きくなる開脚動と、開脚後に当該開き角度が小さくなる閉脚動との、両動作が可能なように、一対の傾斜面部は構成されているのが好ましい。このような臀裂対向部においては、一対の傾斜面部が開くほど、即ち、一対の傾斜面部の開き角度が大きくなるほど、先端頂辺部にて開口している先端開口部の開口サイズは大きくなる傾向にある。このような臀裂対向部が外装内側シートの組付け用開口部において伸縮材を介して当該外装内側シートに組み付けられている場合、着用者臀裂部の肛門から排泄されつつある便が臀裂対向部の先端頂辺部ないし先端開口部に対して押圧作用を及ぼすと、伸縮材を介して外装内側シートに組み付けられている臀裂対向部における一対の傾斜面部が開脚動して先端開口部の開口サイズが大きくなり、従って、当該開口部にて排泄便が受容されやすくなる。
【００２２】
収容部は、好ましくは、本体部における外装内側シートと外装外側シートとの間に配される収容袋体を有する。このような構成において、本オムツの着用者からの排泄便は、収容袋体内に収容されることとなる。当該構成は、着用者からの排泄便を着用者身体から隔てた状態で留め置くのに適し、従って、オムツ着用者やオムツ替え作業者が排泄便で汚れることを抑制するのに資する。
【００２３】
本発明の使い捨てオムツにおける本体部は、上述の外装内側シートおよび外装外側シートとともにトップシートを更に含む多層構成を有するのが好ましい。当該多層構成において、両外装シートよりもトップシートはオムツの内方側すなわち着用者側に位置する。そして、本オムツは、排泄尿など排泄物を吸収する機能を担う吸収ユニットをトップシートと外装内側シートの間に更に備えるのが好ましい。
【図面の簡単な説明】
【００２４】
【図１】本発明の一の実施形態に係る使い捨てオムツの斜視図である。
【図２】図１に示す使い捨てオムツの展開平面図である。
【図３】図１に示す使い捨てオムツの一部省略展開平面図である。
【図４】図２の線IV−IVに沿った断面模式図である。
【図５】図１に示す使い捨てオムツの概念断面構成図である。
【図６】本発明の実施形態に係る使い捨てオムツにおける一の部分構造の斜視図である。
【図７】（ａ）および（ｂ）は、それぞれ、図６の線VII−VIIに沿った断面図である。
【図８】図６の線VIII−VIIIに沿った断面図である。
【図９】本発明の別の実施形態に係る使い捨てオムツの概念断面構成図である。
【図１０】（ａ）および（ｂ）は、それぞれ、図９に示す使い捨てオムツにおける山型パッドおよびその近傍の一断面図であり、図１に示す使い捨てオムツにとっての図８の断面図に相当する。
【図１１】（ａ）および（ｂ）は、それぞれ、図９に示す使い捨てオムツにおける山型パッドおよびその近傍の一断面図であり、図１に示す使い捨てオムツにとっての図７（ａ）や図７（ｂ）の断面図に相当する。
【発明を実施するための形態】
【００２５】
図１から図５は、本発明の一の実施形態であるオムツＸ１を表す。図１はオムツＸ１の斜視図であり、図２はオムツＸ１の展開平面図であり、図３はオムツＸ１の一部省略展開平面図である。図４は、図２の線IV−IVに沿った断面模式図である。また、図５はオムツＸ１の概念断面構成図である。
【００２６】
オムツＸ１は、本体部１０と、吸収ユニット２０と、山型パッド３０と、チューブ４０と、収容部５０とを備える使い捨てオムツであり、本実施形態ではパンツタイプとして構成されている。オムツＸ１の使用にあたっては、山型パッド３０が着用者の臀裂部に当接するように、オムツＸ１は使用者に着用される。
【００２７】
本体部１０は、本実施形態では図１に示すように、ウエスト開口部１０ａと脚開口部１０ｂ,１０ｂとを伴うパンツ型の形状を有する。この本体部１０は、展開状態にて図２や図３に示す平面視形状を有するシート体であって、図４や図５に表れているように、トップシート１１（図３にて省略）と、外装内側シート１２と、外装外側シート１３とを含む多層構成を有する。この多層シート体における図２に示す端部Ｅ,Ｅどうしの接合、および、図２に示す端部Ｅ',Ｅ'どうしの接合を経て、本体部１０ないしオムツＸ１は立体化されたものである。
【００２８】
トップシート１１は、本体部１０において着用者側最表層をなし、且つ、液透過性を有する。また、トップシート１１は、山型パッド３０の配設箇所にて開口する開口部１１ａを有し、例えばこの開口部１１ａまわりなど所定の箇所が外装内側シート１２と接合されている。この接合には、例えばホットメルト型接着剤を利用することができる。このようなトップシート１１の素材としては、例えば、不織布、織布、メッシュシート、および、液透過孔の形成されたプラスチックフィルムが、挙げられる。トップシート用素材の不織布や織布をなすための繊維の構成材料としては、例えば、ポリオレフィン、ポリエステル、ナイロン、セルロース、レーヨン、およびコットンが挙げられる。ポリオレフィンとしては、例えば、ポリプロピレンおよびポリエチレンが挙げられる。ポリエステルとしては、例えば、ポリエチレンテレフタレート（ＰＥＴ）およびポリブチレンテレフタレートが挙げられる。また、トップシート用素材の不織布や織布をなすための繊維は、好ましくは、界面活性剤での表面処理によって表面の親水化が図られた疎水性繊維、または親水性繊維である。
【００２９】
本体部１０における外装内側シート１２および外装外側シート１３は、排泄物における液分がオムツＸ１の内側から外側に透過するのを防止するための液不透過性を有し、且つ、それらの外縁端部どうしが本実施形態では全周にわたって接合されている。この接合には、例えばホットメルト型接着剤を利用することができる。外装内側シート１２は、山型パッド３０の組付け箇所である開口部１２ａ（組付け用開口部）を有する。各外装シートの素材としては、例えば、不織布、プラスチックフィルム、および、不織布とプラスチックフィルムとのラミネート材が、挙げられる。外装シート用素材の不織布をなすための繊維の構成材料としては、例えば、ポリオレフィン、ポリエステル、およびナイロンが挙げられる。外装シート用素材の不織布をなすための繊維は、好ましくは疎水性繊維である。このような外装内側シート１２および外装外側シート１３は、防水処理が施されていてもよい。
【００３０】
吸収ユニット２０は、オムツＸ１において排泄物中の排泄尿など液分を吸収する機能を担うものであり、図４に示すように、本体部１０におけるトップシート１１と外装内側シート１２との間に配されている。また、吸収ユニット２０は、トップシート１１および／または外装内側シート１２に対して接合されている。この接合には、例えばホットメルト型接着剤を利用することができる。
【００３１】
このような吸収ユニット２０は、例えば、水分吸収容量の大きなシート状の高分子吸水材と、この高分子吸水材を被覆して保持するための液透過性シートとを有する。高分子吸水材の構成材料としては、例えば、ポリアクリル酸系樹脂、ポリアスパラギン酸系樹脂、およびセルロース系樹脂が挙げられる。液透過性シートとしては、例えば綿状パルプが挙げられる。また、吸収ユニット２０ないしその表面の液透過性シートと上述のトップシート１１との間には、吸収ユニット２０に向けての液分移動速度を高める目的で例えば、吸水紙が配されてもよい。
【００３２】
山型パッド３０は、着用者臀裂部に当接可能な臀裂対向部であり、図６から図８によく表れているように、頂辺部３１と、これを介して繋がり且つ開閉脚動作可能な一対の傾斜面部３２とを有する。頂辺部３１を介して繋がる一対の傾斜面部３２は、具体的には、その開き角度が大きくなる開脚動と、開脚後に当該開き角度が小さくなる閉脚動とが可能なように、構成されている。一対の傾斜面部３２の閉状態にあっては開口部３０ａ,３０ｂを開口端として山型パッド３０内を貫通する貫通路が形成される形状を、山型パッド３０は有する。開口部３０ａは、頂辺部３１側にて排泄便を受けるための先端開口部である。開口部３０ｂは、山型パッド３０において頂辺部３１とは反対の側に位置する基端開口部であり、開口部３０ａよりも大きい（開口部３０ａの最大径よりも開口部３０ｂの最大径の方が大きい）。このような山型パッド３０は、好ましくは、柔軟性と形状復帰性とを併せもつスポンジ材よりなる。スポンジ材としては、例えば、セルローススポンジ、ポリウレタンスポンジ、およびメラミンスポンジが挙げられる。また、山型パッド３０の頂辺部３１における開口部３０ａ周りには、肛門周りに貼着するための粘着部３３が設けられている。
【００３３】
また、山型パッド３０は、図３に示すように、上述の本体部１０の外装内側シート１２に対し、その開口部１２ａにて伸縮材１４を介して組み付けられている。伸縮材は、本実施形態では伸縮シート材である。これら山型パッド３０および伸縮シート材は、外装内側シート１２の開口部１２ａを閉塞している。伸縮シート材としては、例えば、フィルム状弾性素材またはネット状弾性素材とその片面または両面ともに貼り合わせられた不織布との積層構造を有するシート体が挙げられる。このような伸縮シート材の代わりにひも状ゴム材を伸縮材として用いてもよい。
【００３４】
チューブ４０は、送便管路であって、山型パッド３０の開口部３０ａから後述の収容部５０まで排泄便を導くための経路をなし、当該経路の始端側の始端部４１および終端側の開口端部４２を有する。チューブ４０の始端部４１は山型パッド３０の開口部３０ａと連結され、当該チューブ４０は、山型パッド３０に形成され得る開口部３０ｂを通って収容部５０の側へと延び、チューブ４０の開口端部４２は収容部５０に臨む。この開口端部４２は、その開口端側から延びる複数のスリット４２ａ（切れ込み）を有する。各スリット４２ａの長さは、チューブ４０の全長に応じて例えば１〜４ｃｍである。このような構成のチューブ４０は、柔軟素材よりなるフレキシブル管路であり、例えば、プラスチックフィルムなど樹脂フィルムよりなるか、或いはゴムよりなる。チューブ４０が樹脂フィルムよりなる場合、フィルム表面間の静電吸着作用に因ってチューブ４０の開口端部４２が図７（ｂ）に示すように閉状態をとりやすくなることがある。
【００３５】
収容部５０は、着用者身体から隔てて排泄便を収容するためのものであって、図４や図５に表れているように、外装内側シート１２および外装外側シート１３の間に設けられる。本実施形態において、収容部５０は、外装内側シート１２の上述の開口部１２ａ周りに沿って開口部周りが接合されている収容袋体５１を備える。接合には、例えばホットメルト型接着剤を利用することができる。
【００３６】
以上のような構成を有するオムツＸ１の使用にあたっては、着用者の肛門に山型パッド３０の開口部３０ａが対向する位置・姿勢で山型パッド３０が着用者の臀裂部に当接するように、オムツＸ１は使用者に着用される。そして、着用者から排泄される便は、着用者の臀裂部に当接する山型パッド３０の開口部３０ａに受容され、チューブ４０を通って収容部５０に至りうる。その排泄便は、収容袋体５１内に収容されることとなる。
【００３７】
本体部１０の外装内側シート１２と外装外側シート１３との間に排泄物の収容部５０をオムツＸ１が備えるという上述の構成は、着用者からの排泄便を着用者身体から隔てた状態で留め置くのに適し、従って、着用者ないしその身体が排泄便で汚れることを抑制するのに適する。そして、オムツＸ１について、収容部５０内に排泄便が収容された状態でオムツ替え作業が行われる場合、作業者の手など身体は、汚れにくい。
【００３８】
また、排泄便受容口である開口部３０ａを有して着用者臀裂部に当接可能な山型パッド３０をオムツＸ１が備えるという上述の構成は、着用者からの排泄便を収容部５０に導くうえで好適であり、ひいては、着用者やオムツ替え作業者が排泄便で汚れることを抑制するのに資する。
【００３９】
加えて、チューブ４０において収容部５０に臨む開口端部４２が、その開口端側から延びるスリット４２ａを有するという上述の構成は、収容部５０からチューブ４０への排泄便の逆流を抑制するのに適する。チューブ４０の開口端部４２は、柔軟素材よりなるうえに切れ込みであるスリット４２ａを有するため、形状が保持されにくい。このような開口端部４２は、チューブ４０内を収容部５０に向けて移動する排泄便の通過時には開口してその通過を許容しやすいものの、外部からの接触作用を受ける場合には開口しにくい。チューブ４０の開口端部４２が図７（ｂ）を参照して上述したように閉状態をとりやすい場合には なお更、そのような開口端部４２は、外部からの接触作用を受けても開口しにくい。そのため、チューブ４０の開口端部４２に対して開口端部４２外の収容部５０から排泄便は入りにくい。収容部５０に一旦収まった排泄便は、開口端部４２を介しては、チューブ４０内に逆流しにくいのである。収容部５０からチューブ４０への排泄便の逆流を抑制するのに適したこのような構成は、収容部５０に収容された排泄便の当該収容状態を維持するうえで好適であり、ひいては、着用者やオムツ替え作業者が排泄便で汚れることを抑制するのに資する。
【００４０】
以上のように、オムツＸ１は、着用者やオムツ替え作業者が排泄便で汚れることを抑制するのに適する。このようなオムツＸ１は、乳幼児用オムツとして構成されてもよいし、大人用オムツとして構成されてもよい。また、オムツＸ１は、上述のようなパンツタイプの使い捨てオムツとして構成されるのに代えて、オムツ止着用の例えば一対のファスニングテープを伴うテープタイプの使い捨てオムツとして構成されてもよい。
【００４１】
山型パッド３０は、上述のように、外装内側シート１２の開口部１２ａにて、伸縮材１４を介して外装内側シート１２に組み付けられている。このような構成によると、オムツＸ１の着用時において、着用者臀裂部に対する山型パッド３０の良好な当接状態ないし密着状態を伸縮材１４に因る付勢力を利用して実現しやすく、従って、着用者からの排泄便を山型パッド３０の開口部３０ａによって受容しやすい。
【００４２】
伸縮材１４として伸縮シート材が採用される本実施形態では、当該伸縮材１４および山型パッド３０は、上述のように、外装内側シート１２の開口部１２ａを図３に示すように閉塞している。このような構成は、着用者からの排泄便を着用者身体から隔てた状態で収容部５０内に留め置くのに適し、従って、着用者やオムツ替え作業者が排泄便で汚れることを抑制するのに資する。
【００４３】
山型パッド３０は、上述のように、開口部３０ａの形成された頂辺部３１と当該頂辺部３１を介して繋がる一対の傾斜面部３２とを含む。このような構成の山型パッド３０は、その開口部３０ａを着用者の肛門に対向させつつ、着用者身体において窪んでいる臀裂部に当接しやすい。したがって、このような構成の山型パッド３０は、その開口部３０ａにて着用者からの排泄便を受容しやすい。
【００４４】
山型パッド３０は、上述のように、その開口部３０ａ（先端開口部）とは反対の側に当該開口部３０ａよりも大きな開口部３０ｂ（基端開口部）を有し、チューブ４０は開口部３０ｂを通って収容部５０側へと延びる。このような構成によると、柔軟素材よりなるチューブ４０における収容部５０側の開口端部４２（終端）が山型パッド３０開口部３０ａ側の始端部４１（始端）よりも鉛直方向下方の位置をとりやすい。チューブ４０の終端が始端よりも鉛直方向下方の位置をとりやすいことは、チューブ４０内での排泄便の逆流を抑制するうえで好ましい。
【００４５】
山型パッド３０における一対の傾斜面部３２は、上述のように、開閉脚動作可能に構成されている。このような山型パッド３０においては、一対の傾斜面部３２が開くほど、即ち、一対の傾斜面部３２の開き角度が大きくなるほど、頂辺部３１にて開口している開口部３０ａの開口サイズは大きくなる傾向にある。このような山型パッド３０が外装内側シート１２の開口部１２ａにて伸縮材１４を介して当該外装内側シート１２に組み付けられている本実施形態では、着用者臀裂部の肛門から排泄されつつある便が山型パッド３０の頂辺部３１ないし開口部３０ａに対して押圧作用を及ぼすと、伸縮材１４を介して外装内側シート１２に組み付けられている山型パッド３０における一対の傾斜面部３２が開脚動して開口部３０ａの開口サイズが大きくなり、従って、当該開口部３０ａにて排泄便が受容されやすくなる。
【００４６】
図９および図１０は、本発明の一の実施形態であるオムツＸ２を表す。図９は、オムツＸ２の概念断面構成図である。図１０（ａ）および図１０（ｂ）は、それぞれ、オムツＸ２が備える山型パッド３０およびその近傍の一断面図であり、上述のオムツＸ１にとっての図８の断面図に相当する。
【００４７】
オムツＸ２は、本体部１０と、吸収ユニット２０と、山型パッド３０と、収容部５０と、開閉弁膜６０とを備える使い捨てオムツであり、チューブ４０に代えて開閉弁膜６０を備える点において上述のオムツＸ１と異なる。また、本実施形態のオムツＸ２は、上述のオムツＸ１と同様に、パンツタイプとして構成されている。
【００４８】
オムツＸ２における開閉弁膜６０は、山型パッド３０における開口部３０ｂ（基端開口部）側に対向して配される要素であって、例えば図１０（ｂ）に示すように、開口部３０ｂを収容部５０に連通させる開状態に排泄便の自重などに因って変形可能である。本実施形態では、２枚の開閉弁膜６０が協働して開口部３０ｂを閉じ得るように、即ち、各開閉弁膜６０がその自由端側に他の開閉弁膜６０と重なりうる領域を有するように、各開閉弁膜６０は、伸縮材１４における山型パッド３０まわりの領域に接合されている。この接合には、例えばホットメルト型接着剤を利用することができる。各開閉弁膜６０は、例えば舌片形状を有する。このような開閉弁膜６０の構成材料としては、例えば、柔軟なプラスチックフィルムなど樹脂フィルム、および、柔軟な紙材が挙げられる。
【００４９】
開閉弁膜６０は、図１０に示す態様に代えて図１１に示す態様で、山型パッド３０における開口部３０ｂ（基端開口部）側に対向して配されてもよい。図１１（ａ）および図１１（ｂ）は、それぞれ、オムツＸ２が備える山型パッド３０およびその近傍の一断面図であり、上述のオムツＸ１にとっての図７（ａ）や図７（ｂ）の断面図に相当する。図１１に示す態様においても、図１０に示す態様と同様に、２枚の開閉弁膜６０が協働して開口部３０ｂを閉じ得るように、各開閉弁膜６０は伸縮材１４に接合されている。
【００５０】
オムツＸ２における本体部１０、吸収ユニット２０、山型パッド３０、および収容部５０の各構成については、オムツＸ１に関して上述した本体部１０、吸収ユニット２０、山型パッド３０、および収容部５０の各構成と同様である。
【００５１】
以上のような構成を有するオムツＸ２の使用にあたっては、着用者の肛門に山型パッド３０の開口部３０ａが対向する位置・姿勢で山型パッド３０が着用者の臀裂部に当接するように、オムツＸ２は使用者に着用される。そして、着用者から排泄される便は、着用者の臀裂部に当接する山型パッド３０の開口部３０ａに受容され、山型パッド３０を通過して収容部５０に至りうる。その排泄便は、収容袋体５１内に収容されることとなる。
【００５２】
本体部１０の外装内側シート１２と外装外側シート１３との間に排泄物の収容部５０をオムツＸ２が備えるという構成は、着用者からの排泄便を着用者身体から隔てた状態で留め置くのに適し、従って、着用者ないしその身体が排泄便で汚れることを抑制するのに適する。そして、オムツＸ２について、収容部５０内に排泄便が収容された状態でオムツ替え作業が行われる場合、作業者の手など身体は、汚れにくい。
【００５３】
また、排泄便受容口である開口部３０ａを有して着用者臀裂部に当接可能な山型パッド３０をオムツＸ２が備えるという構成は、着用者からの排泄便を収容部５０に導くうえで好適であり、ひいては、着用者やオムツ替え作業者が排泄便で汚れることを抑制するのに資する。
【００５４】
加えて、山型パッド３０における開口部３０ｂ（基端開口部）側に対向して配され、且つ当該開口部３０ｂを収容部５０に連通させる開状態に排泄便の自重などに因って変形可能である開閉弁膜６０を、オムツＸ２が備えるという上述の構成は、収容部５０から山型パッド３０の開口部３０ａ（先端開口部）側への排泄便の逆流を抑制するのに適する。山型パッド３０の開口部３０ｂと収容部５０との間を区切る態様で山型パッド３０における開口部３０ｂ側に対向して配されている開閉弁膜６０は、山型パッド３０内にその開口部３０ａを介して受容された排泄便が開口部３０ｂおよび開閉弁膜６０を通過する時には変形してその通過を許容しやすい。その一方、当該開閉弁膜６０は、収容部５０側からの接触作用によっては、開口部３０ｂと収容部５０とを連通させる開状態に至るほどの変形を生じにくい。山型パッド３０におけるその開口部３０ｂまわりの壁部が、開閉弁膜６０に当接して、収容部５０側からの接触作用による開閉弁膜６０のそのような変形を阻む作用を発揮しうるからである。そのため、山型パッド３０の開口部３０ｂに対して収容部５０側から排泄便は入りにくい。収容部５０に一旦収まった排泄便は、山型パッド３０における開口部３０ｂひいては開口部３０ａ側に逆流しにくいのである。排泄便の逆流を抑制するのに適したこのような構成は、収容部５０に収容された排泄便の当該収容状態を維持するうえで好適であり、ひいては、着用者やオムツ替え作業者が排泄便で汚れることを抑制するのに資する。
【００５５】
以上のように、オムツＸ２は、着用者やオムツ替え作業者が排泄便で汚れることを抑制するのに適する。このようなオムツＸ２は、乳幼児用オムツとして構成されてもよいし、大人用オムツとして構成されてもよい。また、オムツＸ２は、上述のようなパンツタイプの使い捨てオムツとして構成されるのに代えて、オムツ止着用の例えば一対のファスニングテープを伴うテープタイプの使い捨てオムツとして構成されてもよい。
【符号の説明】
【００５６】
Ｘ１，Ｘ２  オムツ
１０        本体部
１１        トップシート
１２        外装内側シート
１２ａ      開口部（組付け用開口部）
１３        外装外側シート
１４        伸縮材
２０        吸収ユニット
３０        山型パッド（臀裂対向部）
３０ａ      開口部（先端開口部）
３０ｂ      開口部（基端開口部）
３１        頂辺部（先端頂辺部）
３２        傾斜面部
４０        チューブ（送便管路）
４１        始端部
４２        開口端部
４２ａ      スリット
５０        収容部
５１        収容袋体
６０        開閉弁膜
【図１】
2020089704.tif 000003
【図２】
2020089704.tif 000004
【図３】
2020089704.tif 000005
【図４】
2020089704.tif 000006
【図５】
2020089704.tif 000007
【図６】
2020089704.tif 000008
【図７】
2020089704.tif 000009
【図８】
2020089704.tif 000010
【図９】
2020089704.tif 000011
【図１０】
2020089704.tif 000012
【図１１】
2020089704.tif 000013